(57)【要約】【課題】システム構築や保守交換の作業を簡素化することができるモジュール間接続制御装置等を提供する。【解決手段】エンクロージャマネージャ８は、ＬＡＮスイッチモジュール６、７から、当該ＬＡＮスイッチモジュール６、７の識別情報を取得する。また、エンクロージャマネージャ８は、取得した識別情報が、事前に登録されていた登録識別情報と一致するか否かを判定する。また、エンクロージャマネージャ８は、サーバモジュール１〜４とＬＡＮスイッチモジュール６、７との間の接続のオンオフを切り替え可能なスイッチ素子６１〜６４、７１〜７４に対し、オン又はオフとする開閉指令を出力する。【選択図】図１
2019175243.tif 000002
【特許請求の範囲】
【請求項１】
サーバに実装されたＬＡＮスイッチモジュールから、当該ＬＡＮスイッチモジュールの識別情報を取得する識別情報取得部と、
取得した前記識別情報が、事前に登録されていた登録識別情報と一致するか否かを判定する判定処理部と、
前記サーバに実装されたサーバモジュールと前記ＬＡＮスイッチモジュールとの間の接続のオンオフを切り替え可能なスイッチ素子に対し、オン又はオフとする開閉指令を出力する開閉指令部と、
を備え、
前記開閉指令部は、取得した前記識別情報が前記登録識別情報と一致していない場合には、前記スイッチ素子をオフとする
モジュール間接続制御装置。
【請求項２】
前記開閉指令部は、取得した前記識別情報が前記登録識別情報と一致している場合には、前記スイッチ素子をオンとする
請求項１に記載のモジュール間接続制御装置。
【請求項３】
管理者から受け付けた入力に応じて、新たに実装されたＬＡＮスイッチモジュールの識別情報を、前記登録識別情報として登録する新規モジュール登録部を更に備える
請求項１または請求項２に記載のモジュール間接続制御装置。
【請求項４】
請求項１から請求項３の何れか一項に記載のモジュール間接続制御装置と、
前記スイッチ素子と、
を備える収納ユニット。
【請求項５】
請求項４に記載の収納ユニットと、
前記サーバモジュールと、
前記ＬＡＮスイッチモジュールと、
を備えるサーバ。
【請求項６】
サーバに実装されたＬＡＮスイッチモジュールから、当該ＬＡＮスイッチモジュールの識別情報を取得するステップと、
取得した前記識別情報が、事前に登録されていた登録識別情報と一致するか否かを判定するステップと、
前記サーバに実装されたサーバモジュールと前記ＬＡＮスイッチモジュールとの間の接続のオンオフを切り替え可能なスイッチ素子に対し、オン又はオフとする開閉指令を出力するステップと、
を有し、
前記開閉指令を出力するステップは、取得した前記識別情報が前記登録識別情報と一致していない場合には、前記スイッチ素子をオフとするステップを含む
モジュール間接続制御方法。
【請求項７】
モジュール間接続制御装置のコンピュータに、
サーバに実装されたＬＡＮスイッチモジュールから、当該ＬＡＮスイッチモジュールの識別情報を取得するステップと、
取得した前記識別情報が、事前に登録されていた登録識別情報と一致するか否かを判定するステップと、
前記サーバに実装されたサーバモジュールと前記ＬＡＮスイッチモジュールとの間の接続のオンオフを切り替え可能なスイッチ素子に対し、オン又はオフとする開閉指令を出力するステップと、
を実行させ、
前記開閉指令を出力するステップは、取得した前記識別情報が前記登録識別情報と一致していない場合には、前記スイッチ素子をオフとするステップを含む
プログラム。
【発明の詳細な説明】
【技術分野】
【０００１】
本発明は、モジュール間接続制御装置、収納ユニット、サーバ、モジュール間接続制御方法及びプログラムに関する。
【背景技術】
【０００２】
ブレードサーバのように、１台の収納ユニットに複数のサーバモジュールを実装し、かつ同収納ユニットにＬＡＮスイッチモジュールを実装するモジュール型サーバが知られている。
【０００３】
サーバモジュールが実装された環境において、ポート閉塞を行っていないＬＡＮスイッチモジュールやポート閉塞機能を持たないＬＡＮスイッチモジュールを実装し、通電を行うと、収納ユニットに搭載されているサーバモジュールとＬＡＮスイッチモジュール間のネットワークはリンクアップする。この状態において、サーバモジュール上にてＯＳが稼働している場合、サーバモジュールとＬＡＮスイッチモジュール間は通信が行える状態となる。
【０００４】
特許文献１には、単一の情報処理装置において、多くの入出力装置を接続可能なシステム、複数のサーバから入出力装置を共有する安価なシステムを柔軟に実現するサーバシャーシが開示されている。
【先行技術文献】
【特許文献】
【０００５】
【特許文献１】国際公開第２０１０／０８４５２９号
【発明の概要】
【発明が解決しようとする課題】
【０００６】
上述のモジュール型サーバにおいて、保守やシステム構築の際には、ＬＡＮスイッチモジュールを実装した時点で通信が行える状態になると問題となるケースが存在する。
【０００７】
例えば、ＬＡＮスイッチモジュールの保守交換を実施する場合、交換したＬＡＮスイッチモジュールの動作確認を行ってＬＡＮスイッチモジュールに問題がないことを確認するまでは、ＬＡＮスイッチモジュールと収納ユニット外部のネットワークとの接続を行わない手順となる。しかし、この場合でも、サーバモジュール上でＯＳが稼働していればリンクアップするため、サーバモジュールはＬＡＮスイッチモジュール経由で収納ユニット外部のネットワークとの通信を試みる。しかし、この場合は、収納ユニット外部のネットワークと通信できないため、通信障害と見なされる課題がある。
【０００８】
また、システム構築段階において、ＬＡＮスイッチモジュールを搭載して収納ユニット外部のネットワークとＬＡＮスイッチモジュールとの間の通信試験を行う際に、サーバモジュールがＯＳ起動していると、当該サーバモジュールとＬＡＮスイッチモジュール間の通信も行われるために、収納ユニット外部のネットワークとＬＡＮスイッチモジュールとの間の通信試験に影響を及ぼす懸念がある。
【０００９】
したがって、ＬＡＮスイッチモジュールへ適切な設定が完了するまでの間は、サーバモジュールのＬＡＮポートとの間で自動的にリンクアップしないようにする仕組みが必要となる。
【００１０】
本発明の目的は、システム構築や保守交換の作業を簡素化することができるモジュール間接続制御装置、収納ユニット、サーバ、モジュール間接続制御方法及びプログラムを提供することにある。
【課題を解決するための手段】
【００１１】
本発明の第１の態様によれば、モジュール間接続制御装置は、サーバに実装されたＬＡＮスイッチモジュールから、当該ＬＡＮスイッチモジュールの識別情報を取得する識別情報取得部と、取得した前記識別情報が、事前に登録されていた登録識別情報と一致するか否かを判定する判定処理部と、前記サーバに実装されたサーバモジュールと前記ＬＡＮスイッチモジュールとの間の接続のオンオフを切り替え可能なスイッチ素子に対し、オン又はオフとする開閉指令を出力する開閉指令部と、を備え、前記開閉指令部は、取得した前記識別情報が前記登録識別情報と一致していない場合には、前記スイッチ素子をオフとする。
【００１２】
また、本発明の第２の態様によれば、モジュール間接続制御方法は、サーバに実装されたＬＡＮスイッチモジュールから、当該ＬＡＮスイッチモジュールの識別情報を取得するステップと、取得した前記識別情報が、事前に登録されていた登録識別情報と一致するか否かを判定するステップと、前記サーバに実装されたサーバモジュールと前記ＬＡＮスイッチモジュールとの間の接続のオンオフを切り替え可能なスイッチ素子に対し、オン又はオフとする開閉指令を出力するステップと、を有し、前記開閉指令を出力するステップは、取得した前記識別情報が前記登録識別情報と一致していない場合には、前記スイッチ素子をオフとするステップを含む。
【００１３】
また、本発明の第３の態様によれば、プログラムは、モジュール間接続制御装置のコンピュータに、サーバに実装されたＬＡＮスイッチモジュールから、当該ＬＡＮスイッチモジュールの識別情報を取得するステップと、取得した前記識別情報が、事前に登録されていた登録識別情報と一致するか否かを判定するステップと、前記サーバに実装されたサーバモジュールと前記ＬＡＮスイッチモジュールとの間の接続のオンオフを切り替え可能なスイッチ素子に対し、オン又はオフとする開閉指令を出力するステップと、を実行させ、前記開閉指令を出力するステップは、取得した前記識別情報が前記登録識別情報と一致していない場合には、前記スイッチ素子をオフとするステップを含む。
【発明の効果】
【００１４】
上述の各実施形態によれば、システム構築や保守交換の作業を簡素化することができる。
【図面の簡単な説明】
【００１５】
【図１】一実施形態に係るサーバの全体構成を示す図である。
【図２】一実施形態に係るエンクロージャマネージャの構成を示す図である。
【図３】一実施形態に係るＣＰＵの機能構成を示す図である。
【図４】一実施形態に係るＣＰＵの第１の処理フローを示す図である。
【図５】一実施形態に係るＣＰＵの第１の処理フローを示す図である。
【発明を実施するための形態】
【００１６】
以下、本発明によるモジュール間接続制御装置、及び、これを備えるサーバの好適な実施形態について図１〜図５を参照して説明する。なお、以降に示す各図面において、同一または相当部分の部位については、同一符号を付して示すこととし、その説明は繰り返さないことにする。
【００１７】
（サーバの全体構成）
図１は、一実施形態に係るサーバの全体構成を示す図である。
図１に示すサーバ１００は、抜き差し可能な複数のモジュールが実装されてなるブレードサーバである。具体的には、複数のサーバモジュール（本実施形態では４個のサーバモジュール１、２、３、４）と、複数のＬＡＮスイッチモジュール（本実施形態では２個のＬＡＮスイッチモジュール６、７）と、収納ユニット１０１と、を有してなる。
【００１８】
サーバモジュール１〜４は、いわゆるサーバブレードであって、本実施形態のサーバ１００の主要な機能を発揮するためのモジュールである。サーバモジュール１は、２個のＬＡＮポート１１、１２を有している。他のサーバモジュール２〜４も、同様に、それぞれ、２個のＬＡＮポート（ＬＡＮポート２１、２２、３１、３２、４１、４２）を有している。
【００１９】
ＬＡＮスイッチモジュール６、７は、サーバモジュール１〜４と外部装置との間の通信を司るモジュールである。
【００２０】
収納ユニット１０１は、上記サーバモジュール１〜４、ＬＡＮスイッチモジュール６、７等を収納可能とする筐体である。収納ユニット１０１は、シャーシ、エンクロージャなどとも呼ばれる。収納ユニット１０１は、ミッドプレーン５と、エンクロージャマネージャ８とを有してなる。
【００２１】
ミッドプレーン５の構成について詳しく説明する。
ミッドプレーン５は、収納ユニット１０１内に設置される回路基板であって、サーバモジュール１〜４とＬＡＮスイッチモジュール６、７とを相互接続するためのコネクタを備えている。
【００２２】
図１に示すように、ミッドプレーン５は、複数のＬＡＮ配線６１１、６２１、６３１、６４１、７１２、７２２、７３２、７４２と、スイッチ素子６１、６２、６３、６４、７１、７２、７３、７４と、スイッチ制御線８１１、８１２、８２１、８２２、８３１、８３２、８４１、８４２と、管理通信線８６１、８７２とを有してなる。
ＬＡＮ配線６１１、６２１、６３１、６４１は、サーバモジュール１〜４の各々が有する一方側のＬＡＮポート（ＬＡＮポート１１、２１、３１、４１）とＬＡＮスイッチモジュール６とを接続する配線である。また、ＬＡＮ配線７１２、７２２、７３２、７４２は、サーバモジュール１〜４の各々が有する他方側のＬＡＮポート（ＬＡＮポート１２、２２、３２、４２）とＬＡＮスイッチモジュール７とを接続する。
このように、１個のサーバモジュールに対し、２個のＬＡＮスイッチモジュールを並列に接続する構成とすることにより、ＬＡＮスイッチモジュールを保守交換する場合であっても、外部との通信が途切れることがないようにしている。
【００２３】
スイッチ素子６１、６２、６３、６４は、それぞれ、ＬＡＮ配線６１１、６２１、６３１、６４１上に設けられる。スイッチ素子６１、６２、６３、６４が「オン」すると、ＬＡＮ配線６１１、６２１、６３１、６４１を介して、サーバモジュール１〜４の各々とＬＡＮスイッチモジュール６とが接続される。また、スイッチ素子６１、６２、６３、６４が「オフ」すると、サーバモジュール１〜４の各々とＬＡＮスイッチモジュール６とが切断される。
同様に、スイッチ素子７１、７２、７３、７４は、それぞれ、ＬＡＮ配線７１２、７２２、７３２、７４２上に設けられる。スイッチ素子７１、７２、７３、７４が「オン」すると、ＬＡＮ配線７１２、７２２、７３２、７４２を介して、サーバモジュール１〜４の各々とＬＡＮスイッチモジュール７とが接続される。また、スイッチ素子７１、７２、７３、７４が「オフ」すると、サーバモジュール１〜４の各々とＬＡＮスイッチモジュール７とが切断される。
【００２４】
スイッチ制御線８１１、８２１、８３１、８４１は、エンクロージャマネージャ８とスイッチ素子６１、６２、６３、６４とを接続する信号線である。また、スイッチ制御線８１２、８２２、８３２、８４２は、エンクロージャマネージャ８とスイッチ素子７１、７２、７３、７４とを接続する信号線である。
【００２５】
管理通信線８６１は、ＬＡＮスイッチモジュール６とエンクロージャマネージャ８とを接続する信号線である。管理通信線８７２は、ＬＡＮスイッチモジュール７とエンクロージャマネージャ８とを接続する信号線である。
【００２６】
エンクロージャマネージャ８の構成について詳しく説明する。
エンクロージャマネージャ８は、収納ユニット１０１内に収納（実装）されている各モジュール間の通信接続等を管理する。
【００２７】
（エンクロージャマネージャの構成）
図２は、一実施形態に係るエンクロージャマネージャの構成を示す図である。
図３は、一実施形態に係るＣＰＵの機能構成を示す図である。
以下、図２、図３を参照しながら、エンクロージャマネージャ８の構成について詳しく説明する。
【００２８】
図２に示すように、エンクロージャマネージャ８は、ＣＰＵ８０と、メモリ８１と、記録媒体８２と、接続インタフェース８３とを備えている。
ＣＰＵ８０は、エンクロージャマネージャ８の動作を司るプロセッサである。ＣＰＵ８０は、予め用意されたプログラムに基づいて動作することで、後述する各種機能を発揮する。
メモリ８１は、いわゆる主記憶装置であって、プログラムに従って動作するＣＰＵ８０の記憶領域となる。
記録媒体８２は、いわゆる補助記憶装置である。
接続インタフェース８３は、コンソール等と接続するためのインタフェースである。
【００２９】
図３に示すように、ＣＰＵ８０は、プログラムに従って動作することで、モジュール間接続制御装置として機能する。具体的には、ＣＰＵ８０は、識別情報取得部８００、判定処理部８０１、開閉指令部８０２、及び、新規モジュール登録部８０３としての機能を発揮する。
【００３０】
識別情報取得部８００は、サーバ１００に実装されたＬＡＮスイッチモジュール６、７から、当該ＬＡＮスイッチモジュール６、７の識別情報を取得する。
判定処理部８０１は、ＬＡＮスイッチモジュール６、７から取得した識別情報が、事前に登録されていた登録識別情報と一致するか否かを判定する。
サーバ１００に実装されたサーバモジュール１〜４とＬＡＮスイッチモジュール６、７との間の接続のオンオフを切り替え可能なスイッチ素子６１〜６４、７１〜７４に対し、オン又はオフとする開閉指令を出力する。
新規モジュール登録部８０３は、管理者から受け付けた入力に応じて、新たに実装されたＬＡＮスイッチモジュールの識別情報を、登録識別情報として登録する。
【００３１】
（ＣＰＵの第１の処理フロー）
図４は、一実施形態に係るＣＰＵの第１の処理フローを示す図である。
ＣＰＵ８０は、ＬＡＮスイッチモジュール６、７が収納ユニット１０１に実装されたことを認識した場合に、図４に示す第１の処理フローを自動的に実行する。
ＣＰＵ８０の識別情報取得部８００は、管理通信線８６１、８７２を介して、ＬＡＮスイッチモジュール６、７の識別情報を取得する（ステップＳ０１）。識別情報は、ＬＡＮスイッチモジュール６、７に固有に割り当てられる製造番号等であってよい。
【００３２】
次に、ＣＰＵ８０の判定処理部８０１は、記録媒体８２を参照し、事前に登録されている登録識別情報を取得する。そして、判定処理部８０１は、管理通信線８６１、８７２を介して取得した識別情報と、事前に登録されている登録識別情報とを対比して、一致しているか否かを判定する（ステップＳ０２）。
【００３３】
両者が一致している場合（ステップＳ０２：ＹＥＳ）、ＬＡＮスイッチモジュール６、７は交換されていないということである。したがって、ＣＰＵ８０の開閉指令部８０２は、各スイッチ制御線８１１〜８４２を通じて、スイッチ素子６１〜６４、７１〜７４にオン指令を出力する（ステップＳ０３）。これにより、スイッチ素子６１〜６４、７１〜７４がオンし、サーバモジュール１〜４と、ＬＡＮスイッチモジュール６、７とがリンクアップする。
【００３４】
ＬＡＮスイッチモジュール６の識別情報が登録識別情報と一致していない場合（ステップＳ０２：ＮＯ）、ＬＡＮスイッチモジュール６が新たなＬＡＮスイッチモジュールに交換されたということである。この場合、開閉指令部８０２は、各スイッチ制御線８１１〜８４２を通じて、スイッチ素子６１〜６４にオフ指令を出力し（ステップＳ０４）、スイッチ素子７１〜７４にオン指令を出力する。これにより、スイッチ素子６１〜６４がオフ状態となるため、サーバモジュール１〜４と、ＬＡＮスイッチモジュール６とのリンクアップが防止される。その一方で、スイッチ素子７１〜７４がオン状態となるため、サーバモジュール１〜４と、ＬＡＮスイッチモジュール７とがリンクアップする。
同様に、ＬＡＮスイッチモジュール７の識別情報が登録識別情報と一致していない場合（ステップＳ０２：ＮＯ）、ＬＡＮスイッチモジュール７が新たなＬＡＮスイッチモジュールに交換されたということである。この場合、開閉指令部８０２は、各スイッチ制御線８１１〜８４２を通じて、スイッチ素子７１〜７４にオフ指令を出力し（ステップＳ０４）、スイッチ素子６１〜６４にオン指令を出力する。これにより、スイッチ素子７１〜７４がオフ状態となるため、サーバモジュール１〜４と、ＬＡＮスイッチモジュール６とのリンクアップが防止される。その一方で、スイッチ素子６１〜６４がオン状態となるため、サーバモジュール１〜４と、ＬＡＮスイッチモジュール６とがリンクアップする。
【００３５】
上述の第１の処理フローによれば、ＬＡＮスイッチモジュール６、７の何れか一方が新たなＬＡＮスイッチモジュールに交換された場合、当該新たなＬＡＮスイッチモジュールに対応するスイッチ素子６１〜６４、７１〜７４がオフ状態を維持することとなるため、新たに交換されたＬＡＮスイッチモジュールは、サーバモジュール１〜４と自動的にリンクアップされない。管理者は、新たに交換されたＬＡＮスイッチモジュールとサーバモジュール１〜４と間の通信が閉塞されている間に、当該新たに交換されたＬＡＮスイッチモジュールの設定や収納ユニット１０１の外部とのネットワーク接続等の作業を行う。
【００３６】
（ＣＰＵの第１の処理フロー）
図５は、一実施形態に係るＣＰＵの第２の処理フローを示す図である。
図５に示す第２の処理フローは、新たに交換されたＬＡＮスイッチモジュールが認識され（図４のステップＳ０２：ＮＯ）、オフ指令出力（図４のステップＳ０４）がなされた後に続けて実行される。管理者は、新たに交換されたＬＡＮスイッチモジュールの設定等を終えると、エンクロージャマネージャ８に接続されたコンソールに、「ポート開放」コマンドを入力する。
【００３７】
ＣＰＵ８０は、コンソールを介して管理者より入力される「ポート開放」コマンドの入力を受け付ける。より具体的には、ＣＰＵ８０の開閉指令部８０２は、新たに交換されたＬＡＮスイッチモジュールの識別情報を引数とする「ポート開放」コマンドを受け付けたか否かを判定する（ステップＳ１１）。
「ポート開放」コマンドを受け付けていない場合（ステップＳ１１：ＮＯ）、開閉指令部８０２は、当該「ポート開放」コマンドを受け付けるまで待ち受けを行う。
「ポート開放」コマンドを受け付けた場合（ステップＳ１１：ＹＥＳ）、開閉指令部８０２は、図４のステップＳ０４でオフ指令を出力していたスイッチ素子６１〜６４、７１〜７４に対し、オン指令を出力する。これにより、新たに交換されたＬＡＮスイッチモジュールとサーバモジュール１〜４との間の通信接続の閉塞が解除され、リンクアップが開始される。
【００３８】
続いて、新規モジュール登録部８０３は、「ポート開放」コマンドの引数として受け付けた識別情報を、新たな識別情報として登録する（ステップＳ１３）。これにより、次回以降の起動時においては、新たに交換されたＬＡＮスイッチモジュールと各サーバモジュール１〜４との間で自動的にリンクアップされる。
【００３９】
（作用、効果）
上述したとおり、システム構築や保守交換の手順上、サーバモジュールとＬＡＮスイッチモジュールとの間で通信を行わないようにする必要がある場合に、簡便に通信経路を切断できる。
即ち、モジュール型サーバにてポート開閉機能を持たないＬＡＮスイッチモジュールを使用する場合、サーバモジュールとスイッチモジュール間の通信経路を切断するためには、サーバモジュールをシャットダウンするか、物理的に収納ユニットから取り出す必要がある。しかし、上記実施形態によるモジュール型サーバ（サーバ１００）では、エンクロージャマネージャ８が、新たに交換されたサーバモジュールが接続されているか否かを判定し、接続されていると判定された場合には、自動的に、ＬＡＮスイッチモジュールとの通信経路を切断することができる。これにより、システム構築ＳＥや保守員等の作業工数を削減できる。
【００４０】
なお、上述の各実施形態においては、上述したＣＰＵ８０（モジュール間接続制御装置）の各種処理の過程は、プログラムの形式でコンピュータ読み取り可能な記録媒体に記憶されており、このプログラムをコンピュータが読み出して実行することによって上記各種処理が行われる。また、コンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００４１】
上記プログラムは、上述した機能の一部を実現するためのものであってもよい。更に、上述した機能をコンピュータシステムにすでに記録されているプログラムとの組み合わせで実現できるもの、いわゆる差分ファイル（差分プログラム）であってもよい。
【００４２】
また、他の実施形態においては、上述の各実施形態で説明したＣＰＵ８０（モジュール間接続制御装置）が有する各機能の一部を、ネットワークで接続された他のコンピュータが具備する態様であってもよい。
【００４３】
以上、本発明の好適な実施形態の構成を説明した。しかし、前述の各特許文献等に開示されている内容は、本発明に引用をもって繰り込むことも可能とする。本発明の全開示（特許請求の範囲を含む）の枠内において、さらにその基本的技術思想に基づいて、実施の形態の変更・調整が可能である。また、本発明の特許請求の範囲の枠内において種々の開示要素の多様な組み合わせあるいは選択も可能である。すなわち、本発明は、特許請求の範囲を含む全開示、技術的思想にしたがって、当業者であればなし得ることが可能な各種変形、修正を含むことは勿論である。
【符号の説明】
【００４４】
１  サーバモジュール
１１、１２  ＬＡＮポート
２  サーバモジュール
２１、２２  ＬＡＮポート
３  サーバモジュール
３１、３２  ＬＡＮポート
４  サーバモジュール
４１、４２  ＬＡＮポート
５  ミッドプレーン
６  ＬＡＮスイッチモジュール
６１１、６２１、６３１、６４１  ＬＡＮ配線
６１、６２、６３、６４  スイッチ素子
７  ＬＡＮスイッチモジュール
７１２、７２２、７３２、７４２  ＬＡＮ配線
７１、７２、７３、７４  スイッチ素子
８  エンクロージャマネージャ
８０  ＣＰＵ（モジュール間接続制御装置）
８００  識別情報取得部
８０１  判定処理部
８０２  開閉指令部
８０３  新規モジュール登録部
８１  メモリ
８２  記録媒体
８１１、８１２、８２１、８２２、８３１、８３２、８４１、８４２  スイッチ制御線
８６１、８７２  管理通信線
１００  サーバ
１０１  収納ユニット
【図１】
2019175243.tif 000003
【図２】
2019175243.tif 000004
【図３】
2019175243.tif 000005
【図４】
2019175243.tif 000006
【図５】
2019175243.tif 000007